(57)【要約】      （修正有）【課題】電気・水が無い場所でも植物栽培ができる太陽光エネルギーと雨水を最大限利用した大変エコなエコ栽培システムと植物栽培ハウスを提供する。【解決手段】太陽光利用型植物栽培ハウスの屋根として太陽光パネルを取り付け、植物栽培万能ポット４０が載った収納トレー４１をゴンドラ２，３に渡す搬送部と収納トレーを雨水を利用しテコの原理を利用した昇降部を備え、床・北側内壁に反射シートを取り付け、栽培植物を植物栽培万能ポット４０と収納トレー４１を使用し移動栽培する事で光を均等に当て光合成を活発にし、移動による気流や程よい揺れと振動で空調や栽培植物の受粉に役立ち、水耕栽培の養液や動力源の水は太陽光パネルに降り注ぐ雨水を集め利用するエコ栽培システムおよび植物栽培ハウス。【選択図】図１
2017184619.tif 000002
【特許請求の範囲】
【請求項１】
２階層に組まれたフレームの上で植物栽培万能ポットが載った収納トレーを北から南、南から北へと自然の傾斜を利用してフリーコンベアで搬送させ、前記収納トレーを1台ずつゴンドラに渡すアンチバック式ストッパーが取付いている搬送部と前記収納トレーを上から下、下から上へと雨水を利用し、テコの原理を利用した重さの変化で昇降させる前記ゴンドラの昇降部で構成されていることを特徴とするエコ栽培システム。
【請求項２】
前記搬送部の１階は北側ゴンドラより搬出された前記収納トレーが北から南に下る１階フリーコンベアで南側先端に前記収納トレーを1台ずつ南側ゴンドラに渡す１階アンチバック式ストッパーが取付いていて、前記南側ゴンドラが下降位置に来ると前記１階アンチバック式ストッパーを開く１階アンチバック式ストッパー開閉装置がある。
更に、前記１階アンチバック式ストッパーに前記収納トレーの移動を管理するため、１階在席確認インターロック装置が付いている。
前記搬送部の２階は前記南側ゴンドラより搬出された前記収納トレーが南から北に下る２階フリーコンベアで、搬出されて少し流れた場所に２階南側ゴンドラ収納トレー搬出インターロック装置が取り付いている。
そして、北側先端に前記収納トレーを1台ずつ前記北側ゴンドラに渡す２階アンチバック式ストッパーが取付いていて、前記北側ゴンドラが上昇位置に来ると前記２階アンチバック式ストッパーを開く２階アンチバック式ストッパー開閉装置がある。
更に、前記２階アンチバック式ストッパーを開くための２階アンチバック式ストッパー開ロック装置がもう一つ取付いていることを特徴とする請求項１に記載のエコ栽培システム。
【請求項３】
前記昇降部には前記南側ゴンドラと前記北側ゴンドラがある。
前記南側ゴンドラと前記北側ゴンドラは常に逆の動作をし、前記南側ゴンドラが上昇位置で前記北側ゴンドラが下降位置で前記収納トレーがどちらにも在席していない状態が原位置になる。
前記南側ゴンドラが上昇位置で南側ゴンドラ給水装置があり、前記南側ゴンドラの底部に取付いている南側ゴンドラ水タンクに前記北側ゴンドラを上昇させる水量が供給されると前記南側ゴンドラは下降する。
下降する前記南側ゴンドラは下降限１００ｍｍ程手前でスプリングによる加速度を和らげ、衝撃を少なくする南側ゴンドラ下降ブレーキ装置が付いている。
前記南側ゴンドラには下降位置で前記収納トレーが搬入され、入り切ったところに南側収納トレーロック装置があり、前記南側ゴンドラ水タンクの水を南側ゴンドラ排水装置でできる限り空になるように排水をする。
前記南側ゴンドラが上昇位置に行くと前記南側収納トレーロック装置が南側収納トレーロック解除装置で解除され前記収納トレーが搬出する。
更に、前記南側ゴンドラの上昇位置と下降位置のそれぞれで前記収納トレーの在席を確認し、前記南側ゴンドラの昇降をロックさせる南側ゴンドラ左側上昇位置ロック装置と南側ゴンドラ右側下降位置ロック装置が付いている。
前記北側ゴンドラが上昇位置で北側ゴンドラ給水装置があり、前記北側ゴンドラの底部に取付いている北側ゴンドラ水タンクに前記南側ゴンドラを上昇させる水量が供給されると前記収納トレーを載せた状態で前記北側ゴンドラは下降する。
下降する前記北側ゴンドラは下降限１００ｍｍ程手前でスプリングによる加速度を和らげ、衝撃を少なくする北側ゴンドラ下降ブレーキ装置が付いている。
前記北側ゴンドラは上昇位置と前記１階アンチバック式ストッパーに前記収納トレーの前記１階在席確認インターロック装置で前記２階アンチバック式ストッパー開ロック装置がインターロック解除で前記２階アンチバック式ストッパーが開き、前記収納トレーが搬入され、入り切ったところに北側収納トレーロック装置があり、前記北側ゴンドラが下降位置に行き、前記北側ゴンドラ水タンクの水を北側ゴンドラ排水装置でできる限り空になるように排水し、前記２階南側ゴンドラ収納トレー搬出インターロック装置で前記北側収納トレーロック装置が解除され前記収納トレーが搬出する。
更に、前記北側ゴンドラの上昇位置と下降位置のそれぞれで前記収納トレーの在席を確認し、前記北側ゴンドラの昇降をロックさせる北側ゴンドラ左側下降位置ロック装置と北側ゴンドラ右側上昇位置ロック装置が付いていることを特徴とする請求項１と請求項２に記載のエコ栽培システム。
【請求項４】
前記雨水は太陽光アレイの横幅約２０ｍの高さが低い南側雨樋で集め、できるだけ高い位置で貯水し、水を高い所から低い所に流し、前記エコ栽培システムのエコ栽培システム雨水水槽に入り、前記エコ栽培システム雨水水槽の水位のレベルを自動管理するエコ栽培システム雨水水槽自動水位調整装置が付いていて、その前記エコ栽培システム雨水水槽の前記雨水を利用し、前記南側ゴンドラ給水装置と前記北側ゴンドラ給水装置とミスト噴霧装置に前記雨水を供給することを特徴とする請求項１〜請求項３に記載のエコ栽培システム。
【請求項５】
前記植物栽培万能ポットは栽培植物の苗一つを栽培管理ができ、他の栽培方法と比べても比較的簡単に植物栽培ができる植物水耕栽培で、前記エコ栽培システムの移動栽培を可能にしている。
更に、前記南側ゴンドラは上昇する時に前記ミスト噴霧装置の手動ポンプを回転させ、ミストを噴霧し、植物を元気にし、温度や湿度を管理できる。
尚、前記植物が移動することで光合成や適度な揺れや振動で前記栽培植物の根を刺激し、蜜蜂を利用しない受粉や害虫が付きづらく前記栽培植物を元気にし、空気の流れや温度・湿度管理を可能にすることを特徴とする請求項１〜請求項４に記載のエコ栽培システム
【請求項６】
太陽光発電所の太陽光パネルの下で太陽光の光量が２０％〜３０％位で陽性植物や陰性植物が栽培でき、動力源に電気を使用せず前記雨水を利用する前記エコ栽培システムを複数台配置し、発電の１００％の電気を売電できることを特徴とする植物栽培ハウス。
【請求項７】
前記太陽光パネルの屋根で前記雨水を集め、太陽光架台の柱の外側に透明な植物栽培ハウス側壁を取り付け、低コストを実現し、植物栽培ハウス床には防水シートを貼り、北側内壁と床には少ない光量を補うため反射シートを貼り、前記栽培植物の光合成の働きを助け、栽培環境を維持し、害虫や病気の侵入を防ぎ、前記エコ栽培システムで植物水耕栽培をする補助する。
更に、前記反射シートを貼っていることで、前記太陽光パネルに両面発電をする機種を使用すれば相乗効果で前記植物水耕栽培にも良いが、発電量も増すことを特徴とする請求項６に記載の植物栽培ハウス。
【発明の詳細な説明】
【技術分野】
【０００１】
本発明は、太陽光発電所の太陽光パネル（特許文献  特開２０１４−２０１９８７）の屋根の下で太陽光エネルギーの光量が２０％〜３０％位で単位面積当たりの収穫量が露地栽培の２倍以上でシステムは変えずに栽培レシピを変えることで多くの種類の植物水耕栽培が出来るようにし、栽培に携わる労働力も単位面積当たりの収穫量からすると少なくて済む。
更に、植物栽培の基本（光合成・根の働き・茎の働き・葉の働き・植物栽培に必要な要素管理等）を栽培植物の苗の一株毎に対して重視し、電気を利用せず、雨水を利用し太陽光利用型植物栽培ハウスで植物水耕栽培を実現した。
即ち、太陽光発電で得られた電力は電力会社に全て全量買い取りで売電する。
【０００２】
前項を実現するには、太陽光発電所の太陽光の光量の少ない場所で植物水耕栽培ができるための、植物栽培万能ポットと収納トレー（特許文献  特開２０１６−２１９５８）と低コストを可能にしたエコ栽培システムと植物栽培ハウスが必要になる。
実際に千葉県の太陽光パネルの下で光量が１０％も満たない環境で植物栽培万能ポットと収納トレー（特許文献  特開２０１６−２１９５８）とエコ栽培システムと植物栽培ビニールハウスでいちご（１２月〜５月）の水耕栽培と枝豆（５月〜１１月）の水耕栽培の実証実験を全く同一の栽培システムで２０１５年２月より実施している。
【背景技術】
【０００３】
太陽光発電所の太陽光パネルの下で植物栽培ができるのは陰性植物か発電量の多くを犠牲にして光量を多くし、植物栽培をするしかない。
それでも発電量や栽培植物の品質や生産量や労働力や投資効果等が思う様に行っていないのが現状で、ソーラーシェアリング（営農型太陽光発電）は主に露地栽培が主流で、なかなか世に広がらないでいる。
【０００４】
植物栽培で重要なのは、植物の苗の一株に如何に能力を発揮させられるかが重要である。
現在の植物栽培には植物の苗の一株毎を管理栽培する事は出来ない。
【先行技術文献】
【特許文献】
【０００５】
【特許文献１】特開平６−２２５６４７号公報
【特許文献２】特開平８−１２６４３８号公報
【特許文献３】特開２００８−２５３２４１号公報
【特許文献４】特開２０１１−１８８７７３号公報
【特許文献５】特開２０１１−２３９７００号公報
【特許文献６】特開２０１３−１１８８４２号公報
【特許文献７】Ｗ０２０１３/１０８６２０
【特許文献８】特表２０１３−５３５９５９号公報
【特許文献９】特開２０１３−２１４６４４号公報
【特許文献１０】特開２０１４−１１７１９５号公報
【特許文献１１】特開２０１４−１３１５１８号公報
【特許文献１２】特開２０１５−１７４８９号公報
【特許文献１３】特開２０１５−１２８４１６号公報
【発明の概要】
【発明が解決しようとする課題】
【０００６】
太陽光発電所の太陽光パネルの下で太陽光エネルギーの２０％〜３０％位の少ない光量で多くの種類の陽性植物から陰性植物までの植物水耕栽培をする。
この植物水耕栽培で多くの新種の植物を開発するのが重要である。
そして、光合成や養液や空気の流れや温度・湿度や病気・害虫等の栽培環境を管理する。
【０００７】
日本の過疎地等でも電気を生産しながら、電気無しで雨水を利用し、人間の食に必要な植物水耕栽培する。
そして、日本の未来の為、全国で電気と食糧の地産地消をする。
【課題を解決するための手段】
【０００８】
太陽光発電所の太陽光パネルの下で太陽光エネルギーの２０％〜３０％位で多くの植物栽培が出来る為には、栽培システムと栽培する環境が必要になる。
そこで、太陽光発電所の太陽光パネル（特許文献  特開２０１４−２０１９８７）の屋根の下で植物栽培万能ポットと収納トレー（特許文献  特開２０１６−２１９５８）と低コストのエコ栽培システムと植物栽培ハウスが必要になる。
エコ栽培システムは２段以上の偶数段の階層で植物栽培万能ポットが複数台載った収納トレーを北から南、南から北へと自然の傾斜を利用して移動させ、上から下、下から上へと雨水を利用して昇降し、植物栽培万能ポットを移動させ植物水耕栽培をする。
植物栽培万能ポットを移動する事は太陽光が均一に植物に供給され、植物栽培ハウス内に空気の流れを作り、植物栽培ハウス内の環境が均一になり、適度な揺れと振動で植物の光合成を活発にして元気にし、更に、蜜蜂を利用しなくても受粉ができる。
動力源に雨水を利用している為、ミストを噴霧する事で温度や湿度を調整し易い。
太陽光発電所はせっかく太陽光パネルの屋根（南側が低い傾斜角１０度）があるので太陽光パネル用架台に東西南北４面に透明ポリカーボネイトや透明ガラス等で壁や扉や窓を取り付け、横幅約２０ｍ×奥行５ｍ×高さ（北側）３ｍ（発電量約１０ｋWｈ）位を標準とし、植物栽培ハウスにする。
この植物栽培ハウスを太陽光発電所の土地の広さに合わせ、必要棟数を配置する。
床は防水シートを引き、北側の内壁と床には反射シートを張り、少ない太陽光を有効に利用する。
雨水は太陽光パネルの横幅約２０ｍの南側の雨樋で集め、できるだけ高い位置で貯水し、水を高い所から低い所に流し、エコ栽培システムに利用する。
１棟の標準植物栽培ハウスにはエコ栽培システムを１５台（植物栽培万能ポット  ７２ポット／台）で１０８０ポット程配置する。
【０００９】
太陽光発電所の太陽光パネル（特許文献  特開２０１４−２０１９８７）の屋根の下で植物栽培万能ポットと収納トレー（特許文献  特開２０１６−２１９５８）と低コストのエコ栽培システムと植物栽培ハウスの三要素で管理栽培する事で、課題を解決できる。
【発明の効果】
【００１０】
本発明は、植物の苗の一株毎を管理栽培ができる解決する手段が見つかると日本の電気エネルギーと食糧を自給自足し、且つ、農業で多くの人の雇用も可能になる。
【００１１】
本発明は、太陽光発電所の発電量を単位面積当たり最低限の削減（２０％〜３０％）で植物栽培ができる事は電気エネルギーを自給自足できない日本にとって大きなプラスである。
そして、発電した電力は１００％売電でき、更に植物栽培ができることが投資効果は大きい。
【００１２】
本発明は、新しい画期的な植物水耕栽培の可能性を大いに秘めている。
例えば、植物栽培万能ポット単位で栽培植物を変えることもできるが、大変になるので、エコ栽培システム単位で栽培植物を変えることもできるが植物栽培ハウスの中に異種の植物栽培をすることは問題が多く難しい。
植物栽培ハウス単位で栽培植物を変えることが最も適している。
必要な時に必要な栽培植物を必要な量だけ栽培ができ、栽培レシピが違うだけで地産地消に適している。
そうかと思えば、１種類の栽培植物を大量生産する事も出来、生産方法はその都度選択が出来る。
【００１３】
本発明は、自然の恵みの太陽のエネルギーは電気と植物栽培として、水（雨水）は養液とエコ栽培システムの動力源として使用後大地に還す、無駄にしない。
尚、大量に出る廃棄処分される植物は一か所に集め管理がし易く、バイオマス発電にも利用でき、再生可能エネルギーの太陽光発電とバイオマス発電の日本の国が望んでいる電力のバランスに大いに役立つ。
【発明を実施するための形態】
【００１４】
以下では、本発明の実施の形態について図を参照して説明する。
図１は太陽光発電所の太陽光パネル１０１の下の光量が２０％〜３０％しか無い環境の中で、食の為、どの様な植物栽培システムを開発すれば良いのかと考えたのが低コストのエコ栽培システム１である。
【００１５】
図１は光量が少ない中で植物栽培をするには太陽の動きに合わせて植物を移動することが必要だと考え、北から南、南から北へと移動させ、単位面積当たりの収穫量を更に増やすため上から下、下から上へと移動させ階層にした。
その結果、植物を移動することで光合成・根の働き・受粉・温度・湿度・空気の流れ等に素晴らしい働きを発見する。
更に、太陽光発電所の発電量を１００％売電と過疎地でもこのエコ栽培システム１が運転できるように電気を使用しないで雨水を利用し運転出来る様にした。
但し、自動化や無人化をする場合には多少の電気を必要とする。
【００１６】
図１のエコ栽培システム１の基本構成はフレーム２と南側ゴンドラ３と北側ゴンドラ４と１階アンチバック式ストッパー５と２階アンチバック式ストッパー６と１階フリーコンベア１２と２階フリーコンベア１３である。
南側スプロケット７（歯数は北側スプロケット８より多い）は左右に２個付いていて、その南側スプロケット７で作動するチェーンの片方の南側端で南側ゴンドラ３の左右２点を吊っている。
その南側ゴンドラ３の左側を吊っているチェーンの反対側の端には南側ゴンドラ下降ブレーキ装置３２を働かせるアクチェーターが取り付いていて南側ゴンドラ３の下降限１００ｍｍ手前で作動する。
北側スプロケット８（歯数は南側スプロケット７より少ない）は左右に２個付いていて、その北側スプロケット８で作動するチェーンの片方の北側端で北側ゴンドラ４の左右２点を吊っている。
その北側ゴンドラ４の左側を吊っているチェーンの反対側の端には北側ゴンドラ下降ブレーキ装置３３を働かせるアクチェーターが取り付いていて北側ゴンドラ４の下降限１００ｍｍ手前で作動する。
ゴンドラ右スプロケット９（南側スプロケット７と北側スプロケット８の右側）と中央スプロケット１０（南側ゴンドラ３と北側ゴンドラ４をチェーンの上側を引っ張り合うように連結する）とゴンドラ左スプロケット１１（南側スプロケット７と北側スプロケット８の左側）で連動して動作し、南側ゴンドラ３と北側ゴンドラ４は上昇と下降を常に逆の動作をする。
【００１７】
図１のエコ栽培システム１の原位置は南側ゴンドラ３が上昇限と北側ゴンドラ４が下降限で南北両方のゴンドラに収納トレー４１が無く、運転開始は南側ゴンドラ給水ストップ弁１２８を開いて始まる。
【００１８】
図１でエコ栽培システム１の運転停止する時も南側ゴンドラ給水ストップ弁１２８を閉じて原位置停止をする。
【００１９】
図１の南側ゴンドラ給水ストップ弁１２８を開くと運転開始し、南側ゴンドラ給水装置１２９が作動し、南側ゴンドラ水タンク２１に雨水が供給される。
南側ゴンドラ給水ストップ弁１２８と南側ゴンドラ給水装置１２９の調整で多少は変えることはできるが約１５分で供給された水の重さが北側ゴンドラ４を上昇させるに達したら南側ゴンドラ３の南側と北側に２か所取り付いている南側ゴンドラ左側上昇位置ロック装置２３が収納トレー４１の在席が無い事を確認し、南側ゴンドラ３は下降が出来る状態になり、北側ゴンドラ４の南側と北側に２か所取り付いている北側ゴンドラ左側下降位置ロック装置２４が収納トレー４１の在席が無い事を確認し、南側ゴンドラ３は下降し、北側ゴンドラ４は上昇する。
【００２０】
図１で下降する南側ゴンドラ３は下降限１００ｍｍ手前でスプリングによる加速度を和らげ、衝撃を少なくする南側ゴンドラ下降ブレーキ装置３２が付いている。
その時、１階フリーコンベア１２と２階フリーコンベア１３の上には収納トレー４１は満杯状態になっていて、南側ゴンドラ３に１階アンチバック式ストッパー開閉装置１６により１階アンチバック式ストッパー５が開き、１階フリーコンベア１２の先端の収納トレー４１が南側ゴンドラ３に搬入する。
同時に２階アンチバック式ストッパー開閉装置１７により２階アンチバック式ストッパー６が開き、２階フリーコンベア１３の先端の収納トレー４１が北側ゴンドラ４に搬入されようとするが、もう一つのインターロックにより１階在席確認インターロック装置１４で１階の収納トレー４１が南側ゴンドラ３に搬入されたことを確認し、２階フリーコンベア１３の先端の収納トレー４１が２階アンチバック式ストッパー開ロック装置１８の作動により２階アンチバック式ストッパー６が開き北側ゴンドラ４に搬入される。
【００２１】
図１のシステムはてこの原理を利用しているため、１階の南側ゴンドラ３に収納トレー４１が２階の北側ゴンドラ４に収納トレー４１を搬入してしまうと重量の関係で落下してしまう事になるが、南側ゴンドラ左側上昇位置ロック装置２３と北側ゴンドラ左側下降位置ロック装置２４と南側ゴンドラ右側下降位置ロック装置２５と北側ゴンドラ右側上昇位置ロック装置２６で南側ゴンドラ３と北側ゴンドラ４がそれぞれ上昇・下降を収納トレー４１の在席を確認して安全に動作する構造になっている。
【００２２】
図１で北側ゴンドラ４の上昇限で北側ゴンドラ給水装置１３０が作動し、北側ゴンドラ水タンク２２に雨水が供給される。
この時、約１５分の間に北側ゴンドラ４に搬入された収納トレー４１の植物栽培万能ポットの植物を作業者３１が作業し易い姿勢で作業が出来る。
作業者３１が作業できる場所はエコ栽培システム１の周りでどこでもできるが、前述の場所が一番作業がし易い。
北側ゴンドラ給水装置１３０の調整で多少は変えることはできるが約１５分で供給された水の重さが南側ゴンドラ３を上昇させるに達したら北側ゴンドラ４の南側と北側に２か所取り付いている北側ゴンドラ右側上昇位置ロック装置２６が収納トレー４１の在席が有る事を確認し、北側ゴンドラ４は下降が出来る状態になり、南側ゴンドラ３の南側と北側に２か所取り付いている南側ゴンドラ右側下降位置ロック装置２５が収納トレー４１の在席が有る事を確認し、北側ゴンドラ４は下降し、南側ゴンドラ３は上昇する。
この時、南側ゴンドラ３が上昇している時のみ、ラチェット機構のミスト噴霧装置１３１が作動し、ミストを栽培植物に噴霧すると同時に植物栽培ハウス内の温度と湿度を調整する。
【００２３】
図１で下降する北側ゴンドラ４は下降限１００ｍｍ手前でスプリングによる加速度を和らげ、衝撃を少なくする北側ゴンドラ下降ブレーキ装置３３が付いている。
その時、１階フリーコンベア１２と２階フリーコンベア１３の上には収納トレー４１が１台分だけ空いた前詰め満杯状態になっていて、１階・２階どちらもゴンドラから収納トレー４１を受け取れる状態になっている。
北側ゴンドラ４下降限で収納トレー４１が搬出しようとするが２階南側ゴンドラ収納トレー搬出インターロック装置１５により待機状態になる。
同時に南側ゴンドラ３上昇限で南側収納トレーロック解除装置３４により南側収納トレーロック装置１９が解除され収納トレー４１が搬出され、２階南側ゴンドラ収納トレー搬出インターロック装置１５を収納トレー４１が通過で北側ゴンドラ４の収納トレー４１が北側収納トレーロック解除装置３５で北側収納トレーロック装置２０が解除され収納トレー４１が搬出される。
【００２４】
図１ではこれでエコ栽培システム１は原位置になる。
これからは南側ゴンドラ給水ストップ弁１２８を閉じて原位置停止をするまで繰り返し無人で自動運転する。
【００２５】
図２は南側ゴンドラ３と北側ゴンドラ４の全体図で、ゴンドラの基本構成は下部に南側ゴンドラ水タンク２１と北側ゴンドラ水タンク２２がある左右２点吊りの本体で、水タンクの上面は大きく二つの角穴が開いていて、タンクへの給水は角穴のどこの位置にでも給水できる。
収納トレー４１の搬送は１階・２階で使用しているフリーコンベアと同じ物が使用され、南側ゴンドラフリーコンベア２７が南側ゴンドラ水タンク２１の角穴の上に角穴を避けて取り付き、北側ゴンドラフリーコンベア２８が北側ゴンドラ水タンク２２の角穴の上に角穴を避けて取り付いている。
南側ゴンドラ３には南端に収納トレー４１用固定ストッパーが有り、北側ゴンドラ４には北端に収納トレー４１用固定ストッパーが取り付いている。
そして、南側ゴンドラ３は収納トレー４１用固定ストッパーにぶつかると同時に南側収納トレーロック装置１９により落下防止のためロックされ、上昇限で南側収納トレーロック解除装置３４により解除され収納トレー４１は搬出する。
北側ゴンドラ４は収納トレー４１用固定ストッパーにぶつかると同時に北側収納トレーロック装置２０により落下防止のためロックされ、下降限で北側収納トレーロック解除装置３５により解除され収納トレー４１は搬出する。
南側ゴンドラ３と北側ゴンドラ４にはそれぞれロック装置が４つずつ取り付いていて南側ゴンドラ左側上昇位置ロック装置２３（南側・北側２か所）と北側ゴンドラ左側下降位置ロック装置２４（南側・北側２か所）と南側ゴンドラ右側下降位置ロック装置２５（南側・北側２か所）と北側ゴンドラ右側上昇位置ロック装置２６（南側・北側２か所）で南側ゴンドラ３計４か所と北側ゴンドラ４計４か所がそれぞれ上昇・下降を収納トレー４１の在席を確認して安全に動作する構造になっている。
南側ゴンドラ３への給水は上昇限近くで南側ゴンドラ給水装置１２９により給水される。
北側ゴンドラ４への給水は上昇限近くで北側ゴンドラ給水装置１３０により給水される。
南側ゴンドラ３の排水は下降限近くで南側ゴンドラ排水装置２９が開き、出来るだけ多くを排水するため、南側ゴンドラ排水装置２９に付属しているロック装置がロックし、上昇中間位置近くでロック装置が付属している解除装置で解除され南側ゴンドラ排水装置２９が閉じて排水は止まる。
北側ゴンドラ４の排水は下降限近くで北側ゴンドラ排水装置３０が開き、出来るだけ多くを排水するため、北側ゴンドラ排水装置３０に付属しているロック装置がロックし、上昇中間位置近くでロック装置が付属している解除装置で解除され北側ゴンドラ排水装置３０が閉じて排水は止まる。
【００２６】
図３はゴンドラに収納トレー４１を１台ずつ移動させ、次の収納トレー４１を停止するアンチバック式ストッパーの全体図です。
南側ゴンドラ３が下降すると１階アンチバック式ストッパー開閉装置１６が作動し、１階フリーコンベア１２の先端の収納トレー４１が南側ゴンドラ３に搬入する。
その時、１階フリーコンベア１２の先端から２台目の収納トレー４１は１階アンチバック式ストッパー開閉装置１６により停止する。
南側ゴンドラ３が上昇すると１階アンチバック式ストッパー開閉装置１６は元に戻り、停止していた収納トレー４１は１台分移動する。
北側ゴンドラ４が上昇すると２階アンチバック式ストッパー開閉装置１７が作動し、２階フリーコンベア１３の先端の収納トレー４１が北側ゴンドラ４に搬入する。
その時、２階フリーコンベア１３の先端から２台目の収納トレー４１は２階アンチバック式ストッパー開閉装置１７により停止する。
更に、もう一つのインターロックにより１階在席確認インターロック装置１４で１階の収納トレー４１が南側ゴンドラ３に搬入されたことを確認し、２階フリーコンベア１３の先端の収納トレー４１が２階アンチバック式ストッパー開ロック装置１８の作動により北側ゴンドラ４に搬入される。
北側ゴンドラ４が下降すると２階アンチバック式ストッパー開閉装置１７は元に戻り、停止していた収納トレー４１は１台分移動する。
【００２７】
図４は植物栽培万能ポット４０と収納トレー４１の全体図で、植物栽培万能ポットと収納トレー（特許文献  特開２０１６−２１９５８）である。
更に、イチゴ栽培の様に低温に弱い植物には発泡スチロール等の植物栽培万能ポット保温部品４２を取り付けて保温効果を出す。
【００２８】
図５は植物栽培ハウス１００の全体図で、基本構成は屋根に太陽光発電所の太陽光パネル１０１（特許文献  特開２０１４−２０１９８７）を配置し、太陽光架台を利用し、東西南北の植物栽培ハウス側壁１０２には透明なポリカーボネイトやガラス等で囲い、植物栽培ハウス床１０３には防水シートを貼り、出入口扉１０４や北側窓１０５や南側窓１０６を取り付け、全ての開口部には防虫ネットを貼り害虫や病気の侵入を防ぎ、出来る限り無菌は無理でも無菌に近づける努力をする。
北側の内壁と床には反射シートを張り、少ない太陽光を有効に利用すると共に。両面発電型の太陽光パネル１０１を使用することで発電量も増える相乗効果を狙う。
【００２９】
図６はエコ栽培システム１の動力源である雨水の構成図で、エコ栽培システム１と太陽光パネル１０１と南側雨樋１１０と雨水貯水タンク１１１と雨水地下タンク１１２で構成される。
【００３０】
図７は雨水系統図で、F1雨水貯水入口フィルタ１２０とF2雨水地下入口フィルタ１２１と地下タンク〜貯水タンク汲み上げポンプ１２２とエコ栽培システム雨水供給配管１２３とエコ栽培システム雨水供給ストップ弁１２４とエコ栽培システム雨水供給フィルタ１２５とエコ栽培システム雨水水槽１２６とエコ栽培システム雨水水槽自動水位調整装置１２７と南側ゴンドラ給水ストップ弁１２８と南側ゴンドラ給水装置１２９と北側ゴンドラ給水装置１３０とミスト噴霧装置１３１と南側ゴンドラ排水受け皿１３２と北側ゴンドラ排水受け皿１３３とエコ栽培システム雨水排水配管１３４と南側雨樋オーバーフロー排水配管１３５と貯水タンク〜地下タンクオーバーフロー排水配管１３６と地下タンクオーバーフロー排水配管１３７で構成する。
【００３１】
図７では太陽光パネル１０１に降った雨水がF1雨水貯水入口フィルタ１２０を通り濾過され、雨水貯水タンク１１１に貯水する。
雨水貯水タンク１１１に貯水された雨水はエコ栽培システム雨水供給配管１２３にてエコ栽培システム１に供給され、雨水貯水タンク１１１が満水になりオーバーフローした雨水は貯水タンク〜地下タンクオーバーフロー排水配管１３６で雨水地下タンク１１２に移動する。
尚、雨水地下タンク１１２が満水になりオーバーフローした雨水は地下タンクオーバーフロー排水配管１３７にて排水され、南側雨樋１１０が満水になりオーバーフローした雨水は南側雨樋オーバーフロー排水配管１３５にて排水され大地に還す。
【００３２】
図７の雨水貯水タンク１１１に貯水された雨水はエコ栽培システム雨水供給配管１２３にて供給され、その雨水はエコ栽培システム１のエコ栽培システム雨水水槽１２６に貯水され、エコ栽培システム雨水水槽自動水位調整装置１２７で水位を一定に保つ。
エコ栽培システム雨水水槽１２６から落差を利用し、南側ゴンドラ給水装置１２９と北側ゴンドラ給水装置１３０とミスト噴霧装置１３１に供給する。
【００３３】
図７の南側ゴンドラ３で排水された雨水は南側ゴンドラ排水受け皿１３２に落ち、北側ゴンドラ４で排水された雨水は北側ゴンドラ排水受け皿１３３に落ち、南側ゴンドラ排水受け皿１３２と北側ゴンドラ排水受け皿１３３は配管で繋がっていてエコ栽培システム雨水排水配管１３４でF2雨水地下入口フィルタ１２１を通り濾過された雨水が雨水地下タンク１１２へ流れる。
【００３４】
雨水地下タンク１１２から雨水貯水タンク１１１へ地下タンク〜貯水タンク汲み上げポンプ１２２で汲み上げるのですが、ここは手動で、できますが、手動ですと大変ですので電気を使い自動で汲み上げるようにする。
【図面の簡単な説明】
【００３５】
【図１】図１はエコ栽培システム全体図である。
【図２】図２はゴンドラ全体図である。
【図３】図３はアンチバック式ストッパー全体図である。
【図４】図４は植物栽培万能ポットと収納トレーの全体図である。
【図５】図５は植物栽培ハウス全体図である。
【図６】図６は雨水システムを示した構成図である。
【図７】図７は雨水システムの系統図である。
【符号の説明】
【００３６】
１      エコ栽培システム
２      フレーム
３      南側ゴンドラ
４      北側ゴンドラ
５      １階アンチバック式ストッパー
６      ２階アンチバック式ストッパー
７      南側スプロケット
８      北側スプロケット
９      ゴンドラ右スプロケット
１０    中央スプロケット
１１    ゴンドラ左スプロケット
１２    １階フリーコンベア
１３    ２階フリーコンベア
１４    １階在席確認インターロック装置
１５    ２階アンチバック式ストッパー開インターロック装置
１６    １階アンチバック式ストッパー開閉装置
１７    ２階アンチバック式ストッパー開閉装置
１８    ２階アンチバック式ストッパー開ロック装置
１９    南側収納トレーロック装置
２０    北側収納トレーロック装置
２１    南側ゴンドラ水タンク
２２    北側ゴンドラ水タンク
２３    南側ゴンドラ左側上昇位置ロック装置
２４    北側ゴンドラ左側下降位置ロック装置
２５    南側ゴンドラ右側下降位置ロック装置
２６    北側ゴンドラ右側上昇位置ロック装置
２７    南側ゴンドラフリーコンベア
２８    北側ゴンドラフリーコンベア
２９    南側ゴンドラ排水装置
３０    北側ゴンドラ排水装置
３１    作業者
３２    南側ゴンドラ下降ブレーキ装置
３３    北側ゴンドラ下降ブレーキ装置
３４    南側収納トレーロック解除装置
３５    北側収納トレーロック解除装置
４０    植物栽培万能ポット
４１    収納トレー
４２    植物栽培万能ポット保温部品
１００    植物栽培ハウス
１０１    太陽光パネル
１０２    植物栽培ハウス側壁
１０３    植物栽培ハウス床
１０４    出入口扉
１０５    北側窓
１０６    南側窓
１１０    南側雨樋
１１１    雨水貯水タンク
１１２    雨水地下タンク
１２０    F1雨水貯水入口フィルタ
１２１    F2雨水地下入口フィルタ
１２２    地下タンク〜貯水タンク汲み上げポンプ
１２３    エコ栽培システム雨水供給配管
１２４    エコ栽培システム雨水供給ストップ弁
１２５    エコ栽培システム雨水供給フィルタ
１２６    エコ栽培システム雨水水槽
１２７    エコ栽培システム雨水水槽自動水位調整装置
１２８    南側ゴンドラ給水ストップ弁
１２９    南側ゴンドラ給水装置
１３０    北側ゴンドラ給水装置
１３１    ミスト噴霧装置
１３２    南側ゴンドラ排水受け皿
１３３    北側ゴンドラ排水受け皿
１３４    エコ栽培システム雨水排水配管
１３５    南側雨樋オーバーフロー排水配管
１３６    貯水タンク〜地下タンクオーバーフロー排水配管
１３７    地下タンクオーバーフロー排水配管
【図１】
2017184619.tif 000003
【図２】
2017184619.tif 000004
【図３】
2017184619.tif 000005
【図４】
2017184619.tif 000006
【図５】
2017184619.tif 000007
【図６】
2017184619.tif 000008
【図７】
2017184619.tif 000009